(57)【要約】【課題】本発明は、内部に収納した記録媒体を確実にガイドして、外部のプリンタ等の印刷装置に安定して給紙することができる用紙トレイを提供すること。【解決手段】本発明の用紙トレイ１の第１、第２ガイド部材６、７は、載置台５に載置した記録媒体２の幅方向の側辺部２ａ、２ａとの間に所定寸法の隙間部Ｄを有して配設され、第１ガイド部材６近傍には、第１ガイド部材６を記録媒体の側辺部２ａ方向に移動操作可能な操作部材８を配設し、筐体３の開放された上方を閉じた状態の蓋体１５を、給紙口４方向に移動させることで、操作部材８を介してガイド部材６が記録媒体２の側辺部２ａ方向に移動して、記録媒体２の幅方向をガイドするようにした。【選択図】　　　　図１
2004099281.tif 000002
【特許請求の範囲】
【請求項１】
記録媒体を載置可能な載置台と、この載置台に載置した前記記録媒体の幅方向を挟んで互いに対抗して配設した一対のガイド部材と、前記載置台および前記ガイド部材を内部に収納して上方が開放された筐体と、この筐体の前記上方を開閉可能な蓋体と、前記載置台に載置した前記記録媒体を外部に給紙可能な前記筐体の一方側に形成した給紙口とを備え、
前記ガイド部材は、前記載置台に載置した前記記録媒体の前記幅方向の側辺部との間に所定寸法の隙間部を有して配設され、前記ガイド部材近傍には、前記ガイド部材を前記記録媒体の前記側辺部方向に移動操作可能な操作部材を配設し、前記筐体の前記開放された上方を閉じた状態の前記蓋体を、前記給紙口方向に移動させることで、前記操作部材を介して前記ガイド部材が前記記録媒体の前記側辺部方向に移動して、前記記録媒体の前記幅方向をガイドするようにしたことを特徴とする用紙トレイ。
【請求項２】
前記ガイド部材は、前記記録媒体の前記側縁部と平行な長尺状に形成され長手方向における一端部近傍に前記操作部材を配設し他端部近傍に前記開口部を形成し、前記筐体の上方を閉じた状態の前記蓋体を前記給紙口側に移動させることで、前記操作部材が前記ガイド部材の前記一端部方向に押動されると共に、前記ガイド部材が前記操作部材の押動方向と直交する方向に移動するようにしたことを特徴とする請求項１記載の用紙トレイ。
【請求項３】
前記操作部材は、前記ガイド部材の前記一端部方向に押動されることで、前記ガイド部材を前記記録媒体の前記側辺部方向に移動操作可能なカム部が形成され、このカム部が対向する部分の前記ガイド部材前記一端部には、前記カム部が係合可能なカム係合部を形成し、
前記操作部材が前記押動されると、前記カム部が前記カム係合部に係合して、前記ガイド部材を前記側辺部方向に移動させ、前記ガイド部材が前記側辺部に当接するようにしたことを特徴とする請求項２記載の用紙トレイ。
【請求項４】
前記カム部および前記カム係合部は、少なくとも、いずれか一方に傾斜状のカム面を形成し、いずれか他方に前記カム面上を摺動可能な摺動部を形成したことを特徴とする請求項３記載の用紙トレイ。
【請求項５】
前記蓋体には、前記操作部材を前記ガイド部材の前記一端部方向に押動操作可能な突起部を形成し、前記操作部材は、前記給紙口から離れる方向に所定の付勢力で弾性付勢され、前記蓋体を前記給紙口側に移動させることで、前記突起部が前記付勢力に抗して、前記操作部材を前記ガイド部材の前記一端部方向に前記押動し、前記カム部が前記カム係合部に係合するようにしたことを特徴とする請求項３または４記載の用紙トレイ。
【請求項６】
前記筐体の上方を閉じた状態の前記蓋体を開くと、前記操作部材が前記付勢力で前記ガイド部の一端部から離れる方向にスライドして、前記ガイド部材が前記記録媒体の前記側辺部から離れる方向に離間するようにした請求項５記載の用紙トレイ。
【請求項７】
前記操作部材は、前記記録媒体の前記幅方向と平行な横長状に形成されて前記弾性付勢され、前記突起部は、前記横長状の前記操作部材の両端部側を前記押圧するようにしたことを特徴とする請求項５または６記載の用紙トレイ。
【請求項８】
前記蓋体は、一端部側が前記筐体の前記給紙口側に形成した回動支持部に回動可能及び前記移動可能に支持され、前記筐体の上方を閉じた状態で前記蓋体を前記給紙口側に移動させると、前記蓋体がロックされて動きが規制されるようにしたことを特徴とする請求項１乃至７のいずれかに記載の用紙トレイ。
【発明の詳細な説明】
【０００１】
【発明の属する技術分野】
本発明は収納した記録媒体をプリンタ等に給紙可能な用紙トレイに係わり、特に、内部に収納した記録媒体を高精度に位置決めしてプリンタ等の印刷装置に給紙可能な用紙トレイに関する。
【０００２】
【従来の技術】
従来提案されている用紙トレイ３１を図１１、図１２に基づいて説明すると、用紙トレイ３１は、記録媒体３２を収納可能な上方が開放された筐体３３を有し、この筐体３３の図示手前側が記録媒体３２をプリンタ等に給紙するための給紙口３４となっている。
前記筐体３３内部には、記録媒体２を載置可能な載置板３５が配設され、この載置板３５は奥側を支点として手前側の給紙口３４側が上下動可能になっている。
【０００３】
また、筐体３３内部には、載置板３５に記録媒体３２を載置した際に、記録媒体３２の幅方向をガイド可能な長尺状の一方と他方のガイド部材３６、３７が、記録媒体３２の側辺部と対向する位置に立設されている。
前記それぞれのガイド部材３６、３７の間隔は、載置板３５に載置した記録媒体３２の幅寸法より若干大きく形成されて、隙間部３８が設けられて、記録媒体３２を載置板３５に載置し易くなっている。
そして、一方のガイド部材３６は、長手方向における中央部分の一部が切り欠きされ、この切り欠き部分に幅寄せ壁３９が配設されて、記録媒体３２の幅方向に移動可能になっている。
【０００４】
前記幅寄せ壁３９の内面には、高さ方向に３本の凸条部４０が突出形成され、幅寄せ壁３９の外面には、板バネを山形状に折り曲げ形成した幅寄せ用部材４１が固着されて一体化されている。
この幅寄せ用部材４１は、山形状の頂部が幅寄せ壁３９に固着され、一対の裾野部が片持ち梁状になっている。
また、筐体３３の開放された上方には、蓋体４２が配設されており、この蓋体４２は、給紙口３４と反対側の奥側の筐体３３に一端部側が回動自在に支持されている。また、蓋体４２は、筐体３３の開放された上方を閉じた状態で給紙口３４側にスライド可能になっている。
また、蓋体４２の他端部側の両側部には、係合爪４３が形成され、この係合爪４３は、筐体３３の上方を閉じた状態の蓋体４２を給紙口３４側である矢印Ａ方向に移動させると、筐体３３に形成した係合孔４４に係合して、蓋体４２がロックされるようになっている。
【０００５】
また、筐体３３上方を閉じたときに、幅寄せ用部材４１と対向する部分の蓋体４２には、図１２に示すように、傾斜状の２つの押動部材４５が形成されている。　この押動部材４５は、筐体３３の上方を閉じた状態の蓋体４２を、矢印Ａの給紙口３４方向に移動させることにより、押動部材４５が幅寄せ用部材４１の裾野部に当接して、幅寄せ壁３９を矢印Ｂ方向に押動する。
【０００６】
このことにより、幅寄せ壁３９の凸条部４０が記録媒体３２の側辺部に当接して、記録媒体３２を他方のガイド部材３７に押し当てて、給紙方向と平行にガイドするようになっている。
このような従来の用紙トレイ２１は、蓋体４２が筐体の開放された上方を閉じることにより、幅寄せ壁３９が記録媒体３２の側辺部に当接して記録媒体３２を確実にガイドし、プリンタ（図示せず）等の印刷装置に記録媒体３２を位置ズレ無く給紙して高品質の画像印刷を行うことができる。
【０００７】
【特許文献１】
２００１年特許願　第１３９８２５号
【０００８】
【発明が解決しようとする課題】
しかし、前述したような従来の用紙トレイ３１は、板バネからなる幅寄せ用部材４１の加工時のバラツキ等で、山形形状の裾野部の高さ寸法が左右均等にならないことがある。このような幅寄せ用部材４１の裾野部の高さ寸法が左右均等にならなかった場合、押動部材４５が幅寄せ用部材４１の一対の裾野部を均等に当接することができず、幅寄せ壁３９が斜めになるおそれがあった。
このような幅寄せ壁３９が斜めになると、幅寄せ壁３９の凸条部４０を確実に記録媒体３２の側辺部に当接させることができなくなり、記録媒体３２を高精度にガイドできなくなるおそれがあった。
【０００９】
本発明は、前述したような点に鑑みてなされたもので、内部に収納した記録媒体を確実にガイドして、外部のプリンタ等の印刷装置に安定して給紙することができる用紙トレイを提供することを目的とする。
【００１０】
【課題を解決するための手段】
前記課題を解決するための第１の手段として本発明の記録媒体は、記録媒体を載置可能な載置台と、この載置台に載置した前記記録媒体の幅方向を挟んで互いに対抗して配設した一対のガイド部材と、前記載置台および前記ガイド部材を内部に収納して上方が開放された筐体と、この筐体の前記上方を開閉可能な蓋体と、前記載置台に載置した前記記録媒体を外部に給紙可能な前記筐体の一方側に形成した給紙口とを備え、
前記ガイド部材は、前記載置台に載置した前記記録媒体の前記幅方向の側辺部との間に所定寸法の隙間部を有して配設され、前記ガイド部材近傍には、前記ガイド部材を前記記録媒体の前記側辺部方向に移動操作可能な操作部材を配設し、前記筐体の前記開放された上方を閉じた状態の前記蓋体を、前記給紙口方向に移動させることで、前記操作部材を介して前記ガイド部材が前記記録媒体の前記側辺部方向に移動して、前記記録媒体の前記幅方向をガイドするようにしたことを特徴とする。
【００１１】
また、前記課題を解決するための第２の手段として、前記ガイド部材は、前記記録媒体の前記側縁部と平行な長尺状に形成され長手方向における一端部近傍に前記操作部材を配設し他端部近傍に前記開口部を形成し、前記筐体の上方を閉じた状態の前記蓋体を前記給紙口側に移動させることで、前記操作部材が前記ガイド部材の前記一端部方向に押動されると共に、前記ガイド部材が前記操作部材の押動方向と直交する方向に移動するようにしたことを特徴とする。
【００１２】
また、前記課題を解決するための第３の手段として、前記操作部材は、前記ガイド部材の前記一端部方向に押動されることで、前記ガイド部材を前記記録媒体の前記側辺部方向に移動操作可能なカム部が形成され、このカム部が対向する部分の前記ガイド部材前記一端部には、前記カム部が係合可能なカム係合部を形成し、前記操作部材が前記押動されると、前記カム部が前記カム係合部に係合して、前記ガイド部材を前記側辺部方向に移動させ、前記ガイド部材が前記側辺部に当接するようにしたことを特徴とする。
【００１３】
また、前記課題を解決するための第４の手段として、前記カム部および前記カム係合部は、少なくとも、いずれか一方に傾斜状のカム面を形成し、いずれか他方に前記カム面上を摺動可能な摺動部を形成したことを特徴とする。
【００１４】
また、前記課題を解決するための第５の手段として、前記蓋体には、前記操作部材を前記ガイド部材の前記一端部方向に押動操作可能な突起部を形成し、前記操作部材は、前記給紙口から離れる方向に所定の付勢力で弾性付勢され、前記蓋体を前記給紙口側に移動させることで、前記突起部が前記付勢力に抗して、前記操作部材を前記ガイド部材の前記一端部方向に前記押動し、前記カム部が前記カム係合部に係合するようにしたことを特徴とする。
【００１５】
また、前記課題を解決するための第６の手段として、前記筐体の上方を閉じた状態の前記蓋体を開くと、前記操作部材が前記付勢力で前記ガイド部の一端部から離れる方向にスライドして、前記ガイド部材が前記記録媒体の前記側辺部から離れる方向に離間するようにした。
【００１６】
また、前記課題を解決するための第７の手段として、前記操作部材は、前記記録媒体の前記幅方向と平行な横長状に形成されて前記弾性付勢され、前記突起部は、前記横長状の前記操作部材の両端部側を前記押圧するようにしたことを特徴とする。
【００１７】
また、前記課題を解決するための第８の手段として、前記蓋体は、一端部側が前記筐体の前記給紙口側に形成した回動支持部に回動可能及び前記移動可能に支持され、前記筐体の上方を閉じた状態で前記蓋体を前記給紙口側に移動させると、前記蓋体がロックされて動きが規制されるようにしたことを特徴とする。
【００１８】
【発明の実施の形態】
以下、本発明の用紙トレイの一実施の形態を、図１〜図１０に基づいて説明する。図１は本発明の用紙トレイの斜視図であり、図２は、図１の平面図であり、図３は図１の側面図であり、図４は本発明に係わる蓋体の動作を説明する側面であり、図５は本発明に係わる蓋体を説明する斜視図であり、図６は本発明に係わる大きなサイズの記録媒体をガイドするときの用紙トレイの斜視図であり、図７は図６の平面図であり、図８は本発明に係わる小さいサイズの記録媒体をガイドするときの用紙トレイの斜視図であり、図９は図８の平面図であり、図１０は本発明に係わるカム部とカム部材とのその他の実施の形態を説明する要部拡大図である。
【００１９】
まず、本発明の用紙トレイ１は、図２の１点鎖線で示すような記録媒体２を収納可能な上方が開放された略矩形状の筐体３が配設されている。前記録媒体２は、例えば幅広と幅狭のサイズの異なる２種類からなり、この２種類の記録媒体２を筐体３内部に収納可能となっている。そして、筐体３は、底部に平坦状の底壁３ａが形成され、この底壁３ａの周囲に所定高さで立設する側壁３ｂが形成されている。
前記筐体３の図示右側で手前側には、内部に収納した記録媒体２を矢印Ｃ方向の外部に排出してプリンタ等の印刷装置に給紙可能な給紙口４が形成されている。
【００２０】
また、筐体３内部には、サイズの異なる２種類の記録媒体２を載置可能な板状の載置台５が配設されており、この載置台５は、給紙口４から遠い側を回動支点として給紙口４に近い側が上下動可能になっており、載置台５上に載置した記録媒体２を上昇させて給紙口４から外部に給紙可能になっている。
また、載置台５上に載置した録媒体２の幅方向の両側辺部２ａ、２ａ近傍には、一対の長尺状の第１、第２ガイド部材６、７が、記録媒体２を挟んで、底壁３ａ上に立設されている。
前記第１、第２ガイド部材６、７は、載置台５に載置した２種類の記録媒体２の幅方向の両側辺部２ａ、２ａとの間に所定寸法の隙間部Ｄを有して、筐体３の底壁３ａに仮止め可能になっている。
【００２１】
前記第１、第２ガイド部材６、７は、矢印Ｅ、Ｆ方向に互いに連動して移動可能になっており、例えば第１ガイド部材６を操作者が手作業で矢印Ｅ方向の内向きに移動させると、第２ガイド部材７も矢印Ｆ方向の内向きに移動するようになっている。
そして、第１、第２ガイド部材６、７のいずれか一方、例えば第１ガイド部材６を操作者が手作業で矢印Ｅ方向に移動させると、例えば図２に示すように、幅広でサイズの大きな記録媒体２の側辺部２ａと隙間部Ｄを有する第１の仮止め位置で第１、第２ガイド部材６、７が仮止めされる。
【００２２】
前記第１、第２ガイド部材６、７が第１の仮止め位置に位置すると、第１ガイド部材６を移動させていた移動負荷が急激に大きくなって、操作者がクリック感を感じる。このクリック感を操作者が感じることで、第１、第２ガイド部材６、７が第１の仮止め位置に位置したことを認識できるようになっている。
また、幅狭でサイズの小さな記録媒体２を載置台５上に載置したときは、第１、第２ガイド部材６、７を第１の仮止め位置から互いに近づく方向に移動させると、幅狭でサイズの小さな記録媒体２の側辺部２ａと隙間部Ｄを有する第２の仮止め位置に第１、第２ガイド部材６、７が位置して、操作者がクリック感を感じて第２の仮止め位置を認識するようになっている。
【００２３】
このような、第１、第２ガイド部材６、７が記録媒体２と隙間部Ｄを有して第１、または第２の仮止め位置に仮止めされることで、サイズの異なる２種類の記録媒体２を、スムーズに載置台５上に載置することができ、記録媒体２の側辺部２ａが第１、第２ガイド部材６、７にぶつかって折れ曲がったりするのを防止できる。
また、それぞれのガイド部材６、７は、Ｌ字状に折り曲げ形成されてスライド板６ａ、７ａが形成され、このスライド板６ａ、７ａが底壁３ａに載置されて矢印Ｅまたは矢印Ｆ方向に移動可能になっている。
また、第１ガイド部材６は、給紙口４から遠い側の一端部側にスライド板６ａが形成され、このスライド板６ａの一端部側に、三角状に突出した複数のカム係合部６ｂが形成されている。
このカム係合部６ｂは、傾斜状のカム面が外向きに形成されている。
【００２４】
また、第１ガイド部材６の一端部側に形成したカム係合部６ｂと対向する図示奥側近傍の底壁３ａ上には、操作部材８が配設されている。この操作部材８は、第１ガイド部材６のカム係合部６ｂと対向する位置に、カム係合部６ｂに係合可能な三角状に突出したカム部８ａが形成されている。
このカム部８ａは、傾斜状のカム面が内向きに形成され、操作部材８が第１、第２ガイド部材６、７側方向に移動することで、カム部８ａが第１ガイド部材６のカム係合部６ｂに係合可能になっている。
前記操作部材８は、載置台５上に載置した記録媒体２の幅方向と平行な横長状に形成されている。そして、長手方向の略中央部には、コイルバネ（図示せず）を内部に収納したバネ収納体９が取り付けられて、コイルバネの付勢力により、操作部材８は、第１、第２ガイド部材６、７から離れる方向に付勢されている。
【００２５】
また、操作部材８の長手方向の両端部には、細幅状の凸部８ｂ、８ｂが突出形成され、この凸部８ｂ、８ｂの図示左側で奥側の端面を、後述する蓋体１５に形成した突起部１６が押動するによって、前記コイルバネの付勢力に抗して、操作部材８が第１、第２ガイド部材６、７側にスライド操作可能になっている。
この操作部材８が第１、第２ガイド部材６、７側にスライドすることにより、カム部８ａがカム係合部６ｂに係合して、カム部８ａのカム面がカム係合部６ｂのカム面上を摺動可する。このことで、図２に示す第１の仮止め位置に位置する第１、第２ガイド部材６、７が、操作部材８のスライド方向と直交する方向に移動して、互いに近づく方向に移動可能になっている。
【００２６】
また、操作部材８の図示左側で奥側には、筐体３の互いに対向する左右の側板３ｂ、３ｂに接して一対の高さ規制部１０が所定高さで上方に突出形成されおり、この高さ規制部材１０は、後述する蓋体１５を閉じたときの、高さ方向のストッパとなるようになっている。
また、一対の高さ規制部材１０に挟まれた部分の底壁３ａ上には、板状の第１ストッパー板１１が底壁３ａと平行方向に傾倒可能に配設されている。
前記第１ストッパー板１１は、筐体３内部に収納する記録媒体２のサイズが大きな時は、傾倒されて底壁３ａと平行になっており、記録媒体２のサイズが小さい時には、底壁３ａと直交する方向に立てることにより、小さいサイズの記録媒体２の奥行き方向がガイド可能になっている。
【００２７】
また、第１ストッパー板１１の更に奥側には、サイズの大きな種類の記録媒体２の後端部側を載置可能な用紙受け台１２が形成され、この用紙受け台１２に接する図示左側の奥側には、第２ストッパー板１３が立設されている。
この第２ストッパー板１３により、大きなサイズの記録媒体２の奥行き方向がガイド可能になっている。
また、筐体３の手前側で給紙口４を形成した部分の、互いに対向する左右の側壁３ｂ、３ｂには、図３、４に示すように、矢印Ｃの給紙方向と平行な長穴状の回動支持部１４が形成されている。
【００２８】
この回動支持部１４には、筐体３の開放された上方を開閉可能な２点鎖線で示すような、蓋体１５が回動自在に支持されている。
前記蓋体１５は、図５に示すように、平坦状の天板１５ａと、この天板１５ａの周囲に側壁１５ｂが形成されいる。この側壁１５ｂは、開口部４側が切り欠きされて開放されている。
また、図５に示す蓋体１５は、互いに対向する側壁１５ｂ、１５ｂの図示上下方向の中央部付近に、所定高さの一対の突起部１６、１６が突出形成されている。　この突起部１６は、筐体３の開放された上方を蓋体１５が閉じることで、突起部１６、１６が操作部材８の凸部８ｂ、８ｂの奥側の端面に当接して、操作部材８を第１、第２ガイド部材６、７方向に押動可能になっている。
【００２９】
また、図５に示す蓋体１５は、突起部１６、１６の図示上方側に、係止爪１７、１７が突出形成され、この係止爪１７、１７は、開放された筐体３の上方を閉じた状態の蓋体１５を給紙口４方向に移動させると、筐体３側に形成した係合部（図示せず）に係合して蓋体１５がロックされて動きが規制されるようになっている。
また、蓋体１５の天板１５ａには、載置台５上に載置した記録媒体（図示せず）に弾接可能な舌片状の用紙押圧片１５ｃが形成されている。
【００３０】
このような構成の本発明の用紙トレイ１の操作方法を説明すると、まず、幅広で大きなサイズの記録媒体２を収納するには、図１に示すように蓋体１５を上方に開く。そして、第１、第２ガイド部材６、７を、図２に示すように、第１の仮止め位置に位置させた状態で、載置台５上に大きなサイズの記録媒体２を載置する。この時の第１、第２ガイド部材６、７と記録媒体２の側辺部２ａとの間には、所定寸法の隙間部Ｄが形成されるので、記録媒体２を載置台５上にスムーズに載置することができる。
【００３１】
載置台５上に記録媒体２を載置すると、図４に示すように、蓋体１５を回動支持部１４を支点として矢印Ｇ方向に回動させて、開放された筐体３の上方を閉じる。すると、蓋体１５に形成した突起部１６が操作部材８に形成した凸部８ｂの奥側の端面に当接する。
この状態で、蓋体３を給紙口４方向に移動させると、蓋体１５の突起部１６が操作部材８の凸部８ｂを押動して、操作部材８が第１、第２ガイド部材６、７の一端部方向にスライドする。
【００３２】
すると、図６、図７に示すように、操作部材８のカム部８ａが、カム係合部６ｂに形成した内側の２個のカム面に係合して、第１ガイド部材６を記録媒体２の側辺部２ａ方向に移動させる。この第１ガイド部材６の移動に連動して第２ガイド部材７も記録媒体２の側辺部２ａ方向に移動する。
即ち、筐体３の開放された上方を閉じた蓋体１５を矢印Ｃの給紙口４方向に移動させることで、第１、第２ガイド部材６、７が互いに近づく方向に移動するようになっている。
そして、記録媒体２の両側辺部２ａ、２ａ方向に移動した第１、第２ガイド部材６、７は、記録媒体２の両側辺部２ａ、２ａに当接して、載置台５上に載置した記録媒体２がガイドされる。
また、蓋体３を給紙口４方向に移動させる動作で、係止爪１７が筐体３側に係合して、蓋体３がロックされて動きが規制される。
【００３３】
このような筐体３内部に収納して第１、第２ガイド部材６、７で記録媒体２をガイドした本発明の用紙トレイ１は、プリンタ等の印刷装置に給紙口４から装着することにより、載置台５に載置した最上部の記録媒体が印刷装置側の給紙ローラ（図示せず）に圧接されて、給紙ローラの回転で、印刷装置の印刷部に搬送されるようになっている。
【００３４】
また、幅狭でサイズが小さい記録媒体２を用いる場合は、第１、第２ガイド部材６、７を手作業で第２の仮止め位置に移動させた状態で、小さいサイズの記録媒体２を載置台５に載置する。この時、大きなサイズの記録媒体２を載置したときと同様に、両側辺部２ａと第１、第２ガイド部材６、７との間には所定寸法の隙間部Ｄが形成される。
【００３５】
この状態で、筐体３の上方を閉じた蓋体１５を給紙口４方向に移動させると、突起部１６が操作部材８を押動して、カム部８ａが、カム係合部６ｂに形成した外側の２個の傾斜状のカム面に係合して、大きなサイズの記録媒体２をガイドしたときと同様に、第１ガイド部材６を小さいサイズの記録媒体２の側辺部２ａ方向に移動すると共に、第２ガイド部材７も記録媒体２の側辺部２ａ方向に移動して、記録媒体２の両側辺部２ａ、２ａに第１、第２ガイド部材６、７が当接して、小さいサイズの記録媒体２がガイドされる。
【００３６】
本発明の用紙トレイ１は、筐体３の上方を閉じた状態の蓋体１５を給紙口４方向に移動させることで、操作部材８を介してガイド部材６、７を記録媒体２の両側辺部２ａ、２ａに当接させて、確実に記録媒体２をガイドした状態で印刷装置側に給紙することができる。
【００３７】
また、記録媒体２を補充するときに、筐体３の上方を閉じた蓋体１５を開くと、操作部材２がバネ収納体９に収納したコイルバネの付勢力で、操作部材８が第１、第２の記録媒体６、７の一端部から離れる方向にスライドして、第１、第２ガイド部材６、７が記録媒体２の側辺部２ａ、２ａから離れる方向に自動的に離間するようになっている。
また、本発明の実施の形態では、第２ガイド部材７にもカム係合部（図示せず）を形成し、操作部材８の第１、第２ガイド部材６、７が対向する部分の２箇所にカム部（図示せず）を形成したものでも良い。
【００３８】
また、カム部材６ｂおよびカム部８ａの両方に傾斜状のカム面を形成したもので説明したが、図１０に示すように、少なくとも操作部材８に傾斜状のカム面を有するカム部８ａを形成し、カム係合部５６は、カム部８ａのカム面上を摺動可能な凸状の摺動部５６ｂを形成したものでも良い。
即ち、カム部および前記カム係合部は、少なくとも、いずれか一方に傾斜状のカム面を形成し、いずれか他方に前記カム面上を摺動可能な摺動部を形成したものであれば良い。
【００３９】
【発明の効果】
以上述べたように、本発明の記録媒体の用紙トレイは、筐体の開放された上方を閉じた状態の蓋体を、給紙口方向に移動させることで、操作部材を介してガイド部材が記録媒体の側辺部方向に移動して、記録媒体の幅方向をガイドするようにしたので、ガイド部材で確実にガイドされた筐体内部の記録媒体を、印刷装置に位置ズレなく給紙することができ、高品位な画像印刷が可能な用紙トレイを提供できる。
【００４０】
また、筐体の上方を閉じた状態の蓋体を給紙口側に移動させることで、操作部材がガイド部材の一端部方向に押動され、ガイド部材が前記操作部材の押動方向と直交する方向に移動するので、記録媒体の側辺部に長尺状のガイド部材を当接させてガイドすることができる。そのために、記録媒体のガイドされる部分を長くすることができ、記録媒体を更に確実にガイドすることができる。
【００４１】
また、操作部材が押動されると、カム部がカム係合部に係合して、ガイド部材を記録媒体の側辺部方向に移動させ、ガイド部材が側辺部に当接するようにしたので、カム部とカム係合部とにより、ガイド部材を確実に記録媒体の側辺部に当接させることができる。
【００４２】
また、カム部およびカム係合部は、少なくとも、いずれか一方に傾斜状のカム面を形成し、いずれか他方にカム面上を摺動可能な摺動部を形成したので、カム面と摺動部との接触面積を小さくして、カム面の摺動摩擦を小さくすることができる。そのために、小さな力でガイド部材を移動させて記録媒体をガイドすることができ、操作性がよい用紙トレイを提供できる。
【００４３】
また、蓋体を給紙口側に移動させることで、蓋体に形成した突起部が付勢力に抗して、操作部材をガイド部材の一端部方向に押動し、カム部がカム係合部に係合するようにしたので、突起部で操作部材を確実に押動することができる。
【００４４】
また、蓋体を開いた時は、操作部材が付勢力でガイド部材から離れる方向にスライドして、ガイド部材が記録媒体の側辺部から離れる方向に移動するので、記録媒体の補充または交換作業が容易である。
【００４５】
また、操作部材は、記録媒体の幅方向と平行な横長状に形成されて弾性付勢され、蓋体の突起部は、横長状の操作部材の両端部側を押圧するようにしたので、長尺状の操作部材をガタ付きなく確実にガイド部材方向にスライドできる。
【００４６】
また、体の上方を閉じた状態で蓋体を給紙口側に移動させると、蓋体がロックされて動きが規制されるようにしたので、印刷動作中の振動等で蓋体が振動しても蓋体が開くことがない。そのために、外部から振動等が加わっても、ガイド部材でガイドされた記録媒体が位置ズレ等の障害が発生しない高性能な用紙トレイ
【図面の簡単な説明】
【図１】本発明の用紙トレイの斜視図である。
【図２】図１の平面図である。
【図３】図１の側面図である。
【図４】本発明に係わる蓋体の動作を説明する側面である。
【図５】本発明に係わる蓋体を説明する部分斜視図である。
【図６】本発明に係わるサイズの大きな記録媒体をガイドしたときの用紙トレイの斜視図である。
【図７】図６の平面図である。
【図８】本発明に係わるサイズの小さい記録媒体をガイドしたときの用紙トレイの斜視図である。
【図９】図８の平面図である。
【図１０】本発明に係わるカム部とカム部材とのその他の実施の形態を説明する要部拡大図である。
【図１１】従来の用紙トレイの斜視図である。
【図１２】従来の用紙トレイの要部拡大図である。
【符号の説明】
１　本発明の用紙トレイ
２　記録媒体
２ａ　側辺部
３　筐体
４　給紙口
５　載置台
６　第１ガイド部材
７　第２ガイド部材
８　操作部材
８ａ　カム部
１５　蓋体
１６　突起部
１７　係止爪
【図１】
2004099281.tif 000003
【図２】
2004099281.tif 000004
【図３】
2004099281.tif 000005
【図４】
2004099281.tif 000006
【図５】
2004099281.tif 000007
【図６】
2004099281.tif 000008
【図７】
2004099281.tif 000009
【図８】
2004099281.tif 000010
【図９】
2004099281.tif 000011
【図１０】
2004099281.tif 000012
【図１１】
2004099281.tif 000013
【図１２】
2004099281.tif 000014